(57)【要約】      （修正有）【課題】視聴環境に適応し、良好なコントラスト特性を実現できるプラズマディスプレイ装置及びその駆動方法を提供する。【解決手段】プラズマディスプレイ装置は、プラズマディスプレイパネルの外部輝度を検出する外部輝度検出部３１と外部輝度検出部３１の検出信号によってリセット区間に供給されるセットアップパルスの最高電圧の大きさを制御するセットアップパルス制御部３２及びリセット区間の間前記セットアップパルス制御部３２の制御信号によって前記セットアップパルスの最高電圧の大きさを調節して前記スキャン電極に供給するスキャン駆動部３４を有する。【選択図】図３
2007102222.tif 000002
【特許請求の範囲】
【請求項１】
スキャン電極を含むプラズマディスプレイパネルと、
前記プラズマディスプレイパネルの外部輝度を検出する外部輝度検出部と、
前記外部輝度検出部の検出信号によってリセット区間に供給されるセットアップパルスの最高電圧の大きさを制御するための制御信号を出力するセットアップパルス制御部と、
前記リセット区間の間、前記制御信号によって前記セットアップパルスの最高電圧の大きさを調節して前記スキャン電極に供給するスキャン駆動部と、を含むことを特徴とするプラズマディスプレイ装置。
【請求項２】
前記セットアップパルスの最高電圧の大きさは前記外部輝度に反比例することを特徴とする、請求項１記載のプラズマディスプレイ装置。
【請求項３】
前記セットアップパルスの最高電圧の大きさは少なくともいずれか一つのサブフィールドで調節されることを特徴とする、請求項１記載のプラズマディスプレイ装置。
【請求項４】
前記外部輝度検出部は光センサーであることを特徴とする、請求項１記載のプラズマディスプレイ装置。
【請求項５】
前記外部輝度検出部は互いに異なるフレームの同一番目サブフィールドで前記プラズマディスプレイパネルの外部輝度を検出することを特徴とする、請求項１記載のプラズマディスプレイ装置。
【請求項６】
スキャン電極を含んだプラズマディスプレイパネルと、
前記プラズマディスプレイパネルの外部輝度を検出する外部輝度検出部と、
前記外部輝度検出部の検出信号によってリセット区間に供給されるセットアップパルスの傾きを制御するための制御信号を出力するセットアップパルス制御部と、
前記リセット区間の間、前記制御信号によって前記セットアップパルスの傾きを調節して前記スキャン電極に供給するスキャン駆動部と、
を含むことを特徴とするプラズマディスプレイ装置。
【請求項７】
前記セットアップパルスの傾きは前記外部輝度に反比例することを特徴とする、請求項６記載のプラズマディスプレイ装置。
【請求項８】
前記セットアップパルスの傾きは少なくともいずれか一つのサブフィールドで調節されることを特徴とする、請求項６記載のプラズマディスプレイ装置。
【請求項９】
前記外部輝度検出部は光センサーであることを特徴とする、請求項６記載のプラズマディスプレイ装置。
【請求項１０】
前記外部輝度検出部はお互いに異なるフレームの同一番目サブフィールドで前記プラズマディスプレイパネルの外部輝度を検出することを特徴とする、請求項６記載のプラズマディスプレイ装置。
【請求項１１】
スキャン電極を含むプラズマディスプレイパネルと、
前記プラズマディスプレイパネルの外部輝度を検出する外部輝度検出部と、
前記外部輝度検出部の検出信号によってリセット区間に供給されるセットアップパルスの印加時間を制御するための制御信号を出力するセットアップパルス制御部と、
前記リセット区間の間、前記制御信号によって前記セットアップパルスの印加時間を調節して前記スキャン電極に供給するスキャン駆動部と、
を含むことを特徴とするプラズマディスプレイ装置。
【請求項１２】
前記セットアップパルスの印加時間は前記外部輝度に反比例することを特徴とする、請求項１１記載のプラズマディスプレイ装置。
【請求項１３】
前記セットアップパルスの印加時間は少なくともいずれか一つのサブフィールドで調節されることを特徴とする、請求項１１記載のプラズマディスプレイ装置。
【請求項１４】
前記外部輝度検出部は光センサーであることを特徴とする、請求項１１記載のプラズマディスプレイ装置。
【請求項１５】
前記外部輝度検出部はお互いに異なるフレームの同一番目サブフィールドで前記プラズマディスプレイパネルの外部輝度を検出することを特徴とする、請求項１記載のプラズマディスプレイ装置。
【請求項１６】
複数のサブフィールドの組合からなるフレームで画像を表現するプラズマディスプレイ装置の駆動方法において、
第１フレームのリセット区間の間第１セットアップパルスをスキャン電極に印加する段階と、
前記第１フレームよりプラズマディスプレイパネルの外部輝度が高い第２フレームのリセット区間の間第２セットアップパルスを前記スキャン電極に印加する段階を含み、  
前記第２セットアップパルスの最高電圧の大きさは前記第１セットアップパルスの最高電圧の大きさより小さいか、前記第２セットアップパルスの傾きは前記第１セットアップパルスの傾きより小さいか、前記第２セットアップパルスの印加時間は前記第１セットアップパルスの印加時間より短いことを特徴とするプラズマディスプレイ装置の駆動方法。
【請求項１７】
前記第１フレームと前記第２フレームは互いに隣接したフレームであることを特徴とする、請求項１６記載のプラズマディスプレイ装置の駆動方法。
【請求項１８】
前記第１フレームと前記第２フレームは互いに離隔されていることを特徴とする、請求項１６記載のプラズマディスプレイ装置の駆動方法。
【請求項１９】
前記第１フレームの間に前記第１セットアップパルスが印加されるサブフィールドと前記第２フレームの間に前記第２セットアップパルスが印加されるサブフィールドは各フレーム内で同一番目のサブフィールドであることを特徴とする、請求項１６記載のプラズマディスプレイ装置の駆動方法。
【発明の詳細な説明】
【技術分野】
【０００１】
本発明はディスプレイ装置に関し、より詳くはプラズマディスプレイ装置及びその駆動方法に関する。
【背景技術】
【０００２】
一般的にディスプレイ装置の内でプラズマディスプレイ装置はプラズマディスプレイパネルとプラズマディスプレイパネルを駆動するための駆動部を含む。
【０００３】
一般的にプラズマディスプレイパネルは前面パネルと背面パネルの間に形成された隔壁が一つの放電セルを成すことで、各放電セル内にはネオン（Ｎｅ）、ヘリウム（Ｈｅ）またはネオン及びヘリウムの混合気体（Ｎｅ＋Ｈｅ）のような主放電気体と少量のキセノン（Ｘｅ）を含む不活性ガスが充填されている。
【０００４】
このような放電セルが複数個集まって一つのピクセル（Ｐｉｘｅｌ）を成す。例えば赤色（Ｒｅｄ、Ｒ）放電セル、緑色(Ｇｒｅｅｎ、Ｇ）放電セル、青色（Ｂｌｕｅ、Ｂ）放電セルが集まって一つのピクセルを成すのである。
【０００５】
そしてこのようなプラズマディスプレイパネルは高周波電圧によって放電される時、不活性ガスは真空紫外線（Ｖａｃｕｕｍ Ｕｌｔｒａｖｉｏｌｅｔ ｒａｙｓ）を発生して隔壁の間に形成された蛍光体を発光させて画像が具現される。このようなプラズマディスプレイパネルは薄く軽い構成が可能なので次世代表示装置として脚光を浴びている。
【０００６】
一方、プラズマディスプレイ装置の視聴環境が自然光、照明装置から放出される光などによって外部輝度が高い状況の場合、明室コントラスト比特性の低下が生じてプラズマディスプレイ装置の画像表示品位が低下される問題点がある。
【発明の開示】
【発明が解決しようとする課題】
【０００７】
本発明の目的は、画像表示品位を向上させるプラズマディスプレイ装置及びその駆動方法を提供することにある。
【課題を解決するための手段】
【０００８】
本発明の一つの実施形態によるプラズマディスプレイ装置はスキャン電極を含むプラズマディスプレイパネルとプラズマディスプレイパネルの外部輝度を検出する外部輝度検出部と外部輝度検出部の検出信号によってリセット区間に供給されるセットアップパルスの最高電圧の大きさを制御するセットアップパルス制御部及びリセット区間の間前記セットアップパルス制御部の制御信号によって前記セットアップパルスの最高電圧の大きさを調節して前記スキャン電極に供給するスキャン駆動部を含む。
【０００９】
前記セットアップパルスの最高電圧の大きさは前記外部輝度に反比例することができる。
【００１０】
前記セットアップパルスの最高電圧の大きさは少なくともいずれか一つのサブフィールドで調節されることができる。
【００１１】
前記外部輝度検出部は光センサーであることができる。
【００１２】
前記外部輝度検出部はお互いに異なるフレームの同一番目サブフィールドで前記プラズマディスプレイパネルの外部輝度を検出することができる。
【００１３】
本発明の他の一つの実施形態によるプラズマディスプレイ装置はスキャン電極を含むプラズマディスプレイパネルと前記プラズマディスプレイパネルの外部輝度を検出する外部輝度検出部と前記外部輝度検出部の検出信号によってリセット区間に供給されるセットアップパルスの傾きを制御するセットアップパルス制御部と、前記リセット区間の間前記セットアップパルス制御部の制御信号によって前記セットアップパルスの傾きを調節して前記スキャン電極に供給するスキャン駆動部を含む。
【００１４】
前記セットアップパルスの傾きは前記外部輝度に反比例することができる。
【００１５】
前記セットアップパルスの傾きは少なくともいずれか一つのサブフィールドで調節されることができる。
【００１６】
前記外部輝度検出部は光センサーであることができる。
【００１７】
前記外部輝度検出部はお互いに異なるフレームの同一番目サブフィールドで前記プラズマディスプレイパネルの外部輝度を検出することができる。
【００１８】
本発明のまた他の一つの実施形態によるプラズマディスプレイ装置はスキャン電極を含むプラズマディスプレイパネルと前記プラズマディスプレイパネルの外部輝度を検出する外部輝度検出部と前記外部輝度検出部の検出信号によってリセット区間に供給されるセットアップパルスの印加時間を制御するセットアップパルス制御部と前記リセット区間の間前記セットアップパルス制御部の制御信号によって前記セットアップパルスの印加時間を調節して前記スキャン電極に供給するスキャン駆動部を含む。
【００１９】
前記セットアップパルスの傾きは前記外部輝度に反比例することができる。
【００２０】
前記セットアップパルスの傾きは少なくともいずれか一つのサブフィールドで調節されることができる。
【００２１】
前記外部輝度検出部は光センサーであることがある。
【００２２】
前記外部輝度検出部はお互いに異なるフレームの同一番目サブフィールドで前記プラズマディスプレイパネルの外部輝度を検出することができる。
【００２３】
本発明のまた他の一つの実施形態によるプラズマディスプレイ装置の駆動方法は複数のサブフィールドの組合からなるフレームで画像を表現するプラズマディスプレイ装置の駆動方法において、第１フレームのリセット区間の間第１セットアップパルスをスキャン電極に印加する段階、前記第１フレームよりプラズマディスプレイパネルの外部輝度が高い第２フレームのリセット区間の間第２セットアップパルスを前記スキャン電極に印加する段階を含み、前記第２セットアップパルスの最高電圧の大きさは前記第１セットアップパルスの最高電圧の大きさより小さいとか、前記第２セットアップパルスの傾きは前記第１セットアップパルスの傾きより小さいとか、前記第２セットアップパルスの印加時間は前記第１セットアップパルスの印加時間より短いことがある。
【００２４】
前記第１フレームと前記第２フレームはお互いに隣接したフレームであることがある。
【００２５】
前記第１フレームと前記第２フレームはお互いに離隔されたフレームであることがある。
【００２６】
前記第１フレーム間前記第１セットアップパルスが印加されるサブフィールドと前記第２フレーム間前記第２セットアップパルスが印加されるサブフィールドは各フレーム内で同一番目のサブフィールドであることがある。
【発明の効果】
【００２７】
本発明はプラズマディスプレイ装置の外部輝度によってセットアップパルスを可変的に調節してコントラスト比特性を向上させてこれによって画像表示品位を向上させることができる。
【発明を実施するための最良の形態】
【００２８】
以下では本発明の一つの実施形態による具体的な実施形態を添付された図面を参照して説明する。
【００２９】
図１は本発明の一つの実施形態によるプラズマディスプレイ装置でプラズマディスプレイパネルの構造の一例を説明するための図である。
【００３０】
図１に示すように、プラズマディスプレイパネルは画像がディスプレイされる表示面である前面パネル１００及び背面を成す背面パネル１１０が一定距離を間に置いて平行に結合される。
【００３１】
前面パネル１００は前面ガラス１０１を基地にして、一つの放電セルで相互放電させてセルの発光を維持するためのスキャン電極（１０２、Ｙ 電極） 及びサステイン 電極（１０３、Ｚ 電極）、すなわち透明なＩＴＯ物質に形成された透明電極（ａ）と金属材質で製作されたバス電極（ｂ）で備えたスキャン電極１０２及びサステイン電極１０３が対を成して形成される。
【００３２】
スキャン電極１０２及びサステイン電極１０３は放電電流を制限して電極対の間を絶縁させる一つ以上の誘電体層１０４によって覆わせられて、誘電体層１０４上面には放電条件を容易くするために酸化マグネシウム（ＭｇＯ）を蒸着した保護層１０５が形成される。
【００３３】
背面パネル１１０は背面ガラス１１１を基地にして複数個の放電空間すなわち、放電セルを形成させるためのストライプタイプ(またはウェルタイプ)の隔壁１１２が平行を維持して配列される。
【００３４】
また、アドレス放電を遂行して真空紫外線を発生させる複数のアドレス電極（１１３、Ｘ 電極）が隔壁１１２に対して平行に配置される。背面パネル１１０の上側面にはアドレス放電の時ファサングピョシルのための可視光線を放出するR、 G、 B 蛍光体１１４が塗布される。
【００３５】
アドレス電極１１３及び蛍光体１１４の間にはアドレス電極１１３を保護して蛍光体１１４に放出される可視光線を前面パネル１００で反射させる白色誘電体１１５が形成される。
【００３６】
このようなプラズマディスプレイパネルで画像の階調を具現する方法を図２を参照して説明すれば次のようである。
【００３７】
図２は本発明の一つの実施形態によるプラズマディスプレイ装置の画像階調を具現する方法を示す図。
【００３８】
図２に示すように、プラズマディスプレイ装置は画像の階調を具現するために一フレームを発光回数が異なる多くのサブフィールドで分けて時分割駆動する。各サブフィールドは全画面を初期化させるためのリセット期間、スキャンラインを選択して選択されたスキャンラインで放電セルを選択するためのアドレス期間及び放電回数によって階調を具現するサステイン期間で分けられる。
【００３９】
例えば、２５６階調で画像を表示しようとする場合に１／６０秒にあたるフレーム期間（１６。６７ｍｓ）は８個のサブフィールド（ＳＦ１乃至ＳＦ８）で分けられるようになる。８個のサブフィールド（ＳＦ１乃至ＳＦ８）それぞれは前述したように、リセット期間（ＲＰ）、アドレス期間（ＡＰ）及びサステイン期間（ＳＰ）で分けられる。
【００４０】
この時、各サブフィールドのリセット期間（ＲＰ）とアドレス期間（ＡＰ）は各サブフィールドごとに等しい一方にサステイン期間とそれに割り当てされるサステインパルスの数は各サブフィールドで２ｎ（ｎ＝０、１、２、３、４、５、６、７）の割合で増加される。
【００４１】
図３は本発明の第１実施形態によるプラズマディスプレイ装置を示す図である。
【００４２】
図３に示すように、本発明の第１実施形態によるプラズマディスプレイ装置はリセット期間、アドレス期間、サステイン期間にアドレス電極（Ｘ１乃至Ｘｍ）、スキャン電極（Ｙ１乃至Ｙｎ）及びサステイン電極（Ｚ）に所定の駆動パルスを印加して不活性ガスを含む放電空間上で気体放電を発生させて画像を表現するプラズマディスプレイパネル１００と、 プラズマディスプレイパネル１００外部の輝度を検出する外部輝度検出部３１と、外部輝度検出部３１の外部輝度検出信号（ＳＯＢ）によってセットアップパルスの最高電圧の大きさを制御するセットアップパルス制御部３２と、背面パネル（図示せず）に形成されたアドレス電極（Ｘ１乃至Ｘｍ）にデータを供給するデータ駆動部３３と、前面パネル（図示せず）に形成されたスキャン電極（Ｙ１乃至Ｙｎ）にセットアップパルス制御部３２のセットアップパルス大きさ制御信号（ＣＴＲＳＰＭ）によって大きさが調節されたセットアップパルスを含むパルス電圧を印加するスキャン駆動部３４と、前面パネル（図示せず）に形成されたサステイン電極（Ｚ）を駆動するサステイン駆動部３５と、各駆動部（３３、３４、３５）を制御するタイミングコントローラ３６と、各駆動部（３３、３４、３５）に駆動電圧を供給する駆動電圧発生部３７を含む。
【００４３】
以下本発明の第１実施形態によるプラズマディスプレイ装置の各構成要素の機能及び作用を詳しく説明する。
【００４４】
外部輝度検出部３１はプラズマディスプレイパネル３００外部の明るさすなわち、自然光、照明装置から放出される光などによるプラズマディスプレイパネル１００外部の輝度を検出した後、外部輝度検出信号（ＳＯＢ）をセットアップパルス制御部３２で印加する。
【００４５】
ここで、外部輝度検出部３１は光センサー、すなわち、光ダイオードや光トランジスターで構成されることができる。
【００４６】
また、外部輝度検出部３１はお互いに異なるフレームの同一番目サブフィールドでプラズマディスプレイパネル３００の外部輝度を検出する。これに対する詳しい説明は後述する図４を参照して説明するようにする。
【００４７】
セットアップパルス制御部３２は外部輝度検出部３１から印加受けた外部輝度検出信号（ＳＯＢ）によってセットアップパルスの最高電圧の大きさを制御するセットアップパルス大きさ制御信号（ＣＴＲＳＰＭ）をスキャン駆動部３４に印加する。
【００４８】
データ駆動部３３は示さない逆ガンマ補正回路、誤差拡散回路等によって逆ガンマ補正及び誤差拡散された後、サブフィールドマッピング回路によってあらかじめ設定されたサブフィールドパターンによってマッピングされたデータが供給される。
【００４９】
このデータ駆動部３３はタイミングコントローラ３６の制御下にデータをサンプリングしてラッチした後、そのデータをアドレス電極（Ｘ１乃至Ｘｍ）に供給する。
【００５０】
スキャン駆動部３４はタイミングコントローラ３６とセットアップパルス制御部３２の制御の下にセットアップ期間の間スキャン電極（Ｙ１乃至Ｙｎ）にセットアップパルス制御部３２から印加受けたセットアップパルス大きさ制御信号（ＣＴＲＳＰＭ）によって大きさが調節されて漸進的に上昇するセットアップパルスを印加する。またつながるセッダウン期間の間漸進的に立ち下がるセッダウンパルスを印加する。
【００５１】
またスキャン駆動部３４はセットアップパルスとセッダウンパルスを含むリセット波形がスキャン電極（Ｙ１乃至Ｙｎ）に供給された後アドレス期間の間、スキャンラインを選択するためにスキャン電極（Ｙ１乃至Ｙｎ）にスキャン基準電圧（Ｖｓｃ）とスキャン基準電圧（Ｖｓｃ）で負極性レベルで立ち下がるスキャンパルスを印加する。
【００５２】
またスキャン駆動部３４はサステイン期間の間アドレス期間で選択されたセルでサステイン放電が起きることができるようにするサステインパルスをスキャン電極（Ｙ１乃至Ｙｎ）に供給する。
【００５３】
サステイン駆動部３５はタイミングコントローラ３６の制御の下にリセット期間内の少なくとも一部期間及びアドレス期間の間サステイン電圧（Ｖｓ）レベルを持つバイアス電圧をサステイン電極（Ｚ）に供給した後、サステイン期間の間スキャン駆動部３４と交互に動作してサステインパルスをサステイン電極（Ｚ）に供給する。
【００５４】
タイミングコントローラ３６は垂直/水平同期信号を入力受けて各駆動部に必要なタイミング制御信号（ＣＴＲＸ、ＣＴＲＹ、ＣＴＲＺ）を発生してそのタイミング制御信号（ＣＴＲＸ、ＣＴＲＹ、ＣＴＲＺ）を該当の駆動部（４３、４４、４５）に供給することで各駆動部（３３、３４、３５）を制御する。
【００５５】
データ駆動部３３に印加されるタイミング制御信号（ＣＴＲＸ）にはデータをサンプリングするためのサンプリングクロック、ラッチ制御信号、エネルギー回収回路と駆動スイッチ素子のオン／オフタイムを制御するためのスイッチ制御信号が含まれる。
【００５６】
スキャン駆動部３４に印加されるタイミング制御信号（ＣＴＲＹ）にはスキャン駆動部３４内のエネルギー回収回路と駆動スイッチ素子のオン／オフタイムを制御するためのスイッチ制御信号が含まれる。
【００５７】
サステイン駆動部３５に印加されるタイミング制御信号（ＣＴＲＺ）にはサステイン駆動部３５内のエネルギー回収回路と駆動スイッチ素子のオン／オフタイムを制御するためのスイッチ制御信号が含まれる。
【００５８】
駆動電圧発生部３７はサステイン電圧（Ｖｓ）、スキャン基準電圧（Ｖｓｃ）、データ電圧（Ｖａ）、スキャン電圧（−Ｖｙ）、セットアップランプ電圧（Ｖｓｔ）などを含む各駆動部（４３、４４、４５）で必要する各種駆動電圧を発生する。このような駆動電圧は放電ガスの造成や放電セル構造によって変わることがある。
【００５９】
以下では図４を参照して本発明の第１実施形態によるプラズマディスプレイ装置の作動原理を詳しく説明する。
【００６０】
図４は本発明の第１実施形態によるプラズマディスプレイ装置の駆動波形を示す図である。
【００６１】
図４に示すように、本発明の第１実施形態によるプラズマディスプレイ装置は複数個 のサブフィールドの組合で構成されたフレーム単位で画像を具現して、一つのサブフィールド（ＳＦ）それぞれはすべてのセルを初期化させるためのリセット期間（ＲＰ）、放電するセルを選択するためのアドレス期間（ＡＰ）、選択されたセルの放電を維持させるためのサステイン期間（ＳＰ）で分けて駆動する。
【００６２】
以下各期間別に印加される電圧とその機能を詳しく説明する。
【００６３】
先ずリセット期間（ＲＰ）において、セットアップ期間（ＳＵ）にはすべてのスキャン電極（Ｙ１乃至Ｙｎ）に正極性傾きのセットアップパルス(ＰＲ）が同時に印加される。このようなセットアップパルス(ＰＲ）はセットアップ波形の一つの例で上昇する形態の多様な波形を採択することができる。
【００６４】
このセットアップパルス(ＰＲ）によっての全画面の放電セル内には弱い暗放電（Ｄａｒｋ Ｄｉｓｃｈａｒｇｅ）が起きる。このセットアップ放電によってアドレス電極（Ｘ１乃至Ｘｍ）とサステイン電極（Ｚ）上には正極性壁電荷が積もるようになって、スキャン電極（Ｙ１乃至Ｙｎ）上には負極性の壁電荷が積もるようになる。
【００６５】
このようなセットアップパルス(ＰＲ）の大きさをプラズマディスプレイパネルの外部輝度によって調節して供給する点に本発明の特徴がある。
【００６６】
このようにプラズマディスプレイパネルの外部輝度によってセットアップパルス(ＰＲ）の最高電圧の大きさを調節して供給することですなわち、プラズマディスプレイ装置の視聴環境によってブラック光の放出量を調節してコントラスト比特性を向上させるのである。
【００６７】
このようなセットアップパルスの最高電圧の大きさは少なくともいずれか一つのサブフィールドで調節するのが望ましい。このようにプラズマディスプレイパネルの外部輝度によって一部サブフィールドまたは全体サブフィールドでセットアップパルスの最高電圧の大きさを調節して供給することで、プラズマディスプレイ装置の視聴環境によってブラック光の放出量を調節してこれによってコントラスト比特性をより効率的に向上させてプラズマディスプレイ装置の画像表示品位を向上させるのである。
【００６８】
このようなセットアップパルスの最高電圧の大きさはプラズマディスプレイパネルの外部輝度に反比例するように調節するのが望ましい。
【００６９】
また、前述の外部輝度検出部３１はお互いに異なるフレームの同一番目サブフィールドからプラズマディスプレイパネル３００の外部輝度を検出した後、セットアップパルスの最高電圧の大きさを外部輝度に反比例するように調節する。
【００７０】
例えば、第１フレーム（１ｓｔ Ｆｒａｍｅ）の一番目サブフィールド（１ｓｔ ＳＦ）でプラズマディスプレイパネルの外部輝度を検出した後、検出された外部輝度によって第１セットアップパルスを印加する。
【００７１】
次に、第２フレーム（２ｎｄ Ｆｒａｍｅ）の一番目サブフィールド（１ｓｔ ＳＦ）でプラズマディスプレイパネルの外部輝度を検出した後、検出された外部輝度によって第２セットアップパルスを印加する。
【００７２】
この場合、第２フレーム（２ｎｄ Ｆｒａｍｅ）の一番目サブフィールド（１ｓｔ ＳＦ）でプラズマディスプレイパネルの外部輝度が第１フレーム（１ｓｔ Ｆｒａｍｅ）の一番目サブフィールド（１ｓｔ ＳＦ）でプラズマディスプレイパネルの外部輝度より高く検出されたら、第２セットアップパルスの最高電圧の大きさ（Ｖｓ＋Ｖｓｔ１）は第１セットアップパルスの最高電圧の大きさ（Ｖｓ＋Ｖｓｔ）より低く印加される。
【００７３】
ここで、第１フレーム（１ｓｔ Ｆｒａｍｅ）と第２フレーム（２ｎｄ Ｆｒａｍｅ）はお互いに隣接したフレームであることとあって、お互いに離隔されたフレームであることもある。すなわち、第１フレーム（１ｓｔ Ｆｒａｍｅ）が一番目フレームなら、第２フレーム（２ｎｄ Ｆｒａｍｅ）はお互いに隣接した二番目フレームであることもあって、お互いに離隔された三番目フレームや五番目フレームであることがある。
【００７４】
また、図４では各フレームの同一番目のサブフィールドでプラズマディスプレイパネルの外部輝度を検出してセットアップパルスの最高電圧の大きさを調節したが、必ずここに限定されるのではない。
【００７５】
すなわち、図４では第１フレーム（１ｓｔ Ｆｒａｍｅ）の一番目サブフィールド（１ｓｔ ＳＦ）でプラズマディスプレイパネルの外部輝度と第２フレーム（２ｎｄ Ｆｒａｍｅ）の一番目サブフィールド（１ｓｔ ＳＦ）でプラズマディスプレイパネルの外部輝度を検出したが、第１フレーム（１ｓｔ Ｆｒａｍｅ）の一番目サブフィールド（１ｓｔ ＳＦ）でプラズマディスプレイパネルの外部輝度と第２フレーム（２ｎｄ Ｆｒａｍｅ）の三番目サブフィールド（３ｒｄ ＳＦ）でプラズマディスプレイパネルの外部輝度を検出して、セットアップパルスの最高電圧の大きさを調節することができる。
【００７６】
また、お互いに異なるフレームの間にプラズマディスプレイパネルの外部輝度を検出してセットアップパルスの最高電圧の大きさを調節することだけではなく、一つのフレーム内のお互いに異なるサブフィールドでそれぞれプラズマディスプレイパネルの外部輝度を検出した後セットアップパルスの最高電圧の大きさを調節することができる。
【００７７】
このように、プラズマディスプレイパネル外部の輝度が高い場合、言い換えればプラズマディスプレイ装置の視聴環境が明室の場合セットアップパルスの最高電圧の大きさを減少させてブラック光放出量を減少させてこれによってコントラスト比特性を高めてプラズマディスプレイ装置の画像表示品位を向上させるのである。
【００７８】
次にセットダウン期間（ＳＤ）にすべてのスキャン電極（Ｙ１乃至Ｙｎ）に負極性傾きのセットダウンランプパルス（ＮＲ）が同時に印加される一方、サステイン電極（Ｚ）に正極性のサステイン電圧（Ｖｓ）レベルを持つバイアス電圧が印加されれば、アドレス電極（Ｘ１乃至Ｘｍ）の正極性壁電荷はそのまま維持するがサステイン電極（Ｚ）とスキャン電極（Ｙ１乃至Ｙｎ）の間の放電を通じてサステイン電極（Ｚ）の正極性壁電荷を一定量消去する同時に、スキャン電極（Ｙ１乃至Ｙｎ）に積もっていた多量の負極性電荷をサステイン電極（Ｚ）とスキャン電極（Ｙ１乃至Ｙｎ）が分けて持つ。
【００７９】
このセットダウン放電によってアドレス放電が安定に起きることができるほどの壁電荷がセル内に均一に残る。
【００８０】
一方このようなセットダウンランプパルス（ＮＲ）はセットダウン波形の一つの例で立ち下がる形態の多様な波形を採択することができる。
【００８１】
次に、アドレス期間（ＡＰ）ではアドレス電極（Ｘ１乃至Ｘｍ）にグラウンド（ＧＮＤ）で正極性のデータ電圧（Ｖａ）で上昇するデータパルス（ＤＰ）、スキャン電極（Ｙ１乃至Ｙｎ）にスキャン基準電圧（Ｖｓｃ）で負極性のスキャン電圧（−Ｖｙ）で立ち下がるスキャンパルス（ＳＣＮＰ）が同期されて印加されると、アドレス電極（Ｘ１乃至Ｘｍ）とスキャン電極（Ｙ１乃至Ｙｎ）の間の電圧差と、リセット期間（ＲＰ）間形成された壁電荷によるアドレス電極（Ｘ１乃至Ｘｍ）とスキャン電極（Ｙ１乃至Ｙｎ）の間の壁電圧が加わりながらアドレス放電が発生する。
【００８２】
一方、サステイン電極（Ｚ）にはアドレス期間（ＡＰ）間にスキャン電極（Ｙ１乃至Ｙｎ）との電圧差を減らしてスキャン電極（Ｙ１乃至Ｙｎ）との誤放電が起きないように正極性のサステイン電圧（Ｖｓ）レベルを持つバイアス電圧が供給される。
【００８３】
次にサステイン期間（ＳＰ）にはスキャン電極（Ｙ１乃至Ｙｎ）とサステイン電極（Ｚ）に交互にグラウンド（ＧＮＤ）でサステイン電圧（Ｖｓ）で上昇するサステインパルス（ＳＵＳＰ）が印加される。
【００８４】
アドレス放電によって選択されたセルはセル内の壁電圧とサステインパルス（ＳＵＳＰ）が加わりながら毎サステインパルス（ＳＵＳＰ）が印加される度にスキャン電極（Ｙ１乃至Ｙｎ）とサステイン電極（Ｚ）の間にサステイン放電すなわち、表示放電が起きるようになる。
【００８５】
このようにすることで一つのサブフィールドでの本発明の第１実施形態によるプラズマディスプレイ装置の駆動過程が完成される。
【００８６】
本発明の第１実施形態によるプラズマディスプレイ装置は以上で詳しく説明したように、プラズマディスプレイパネルの外部輝度によってセットアップパルスの最高電圧の大きさを調節することでコントラスト比特性を向上させる。
【００８７】
図５は本発明の第２実施形態によるプラズマディスプレイ装置を示す図である。
【００８８】
図５に示すように、本発明の第２実施形態によるプラズマディスプレイ装置はリセット期間、アドレス期間、サステイン期間にアドレス電極（Ｘ１乃至Ｘｍ）、スキャン電極（Ｙ１乃至Ｙｎ）及びサステイン電極（Ｚ）に所定の駆動パルスを印加して不活性ガスを含む放電空間上で気体放電を発生させて画像を表現するプラズマディスプレイパネル５００と、 プラズマディスプレイパネル５００外部の輝度を検出する外部輝度検出部５１と、外部輝度検出部５１の外部輝度検出信号（ＳＯＢ）によってセットアップパルスの傾きを制御するセットアップパルス制御部５２と、背面パネル（図示せず）に形成されたアドレス電極（Ｘ１乃至Ｘｍ）にデータを供給するデータ駆動部５３と、前面パネル（図示せず）に形成されたスキャン電極（Ｙ１乃至Ｙｎ）にセットアップパルス制御部５２のセットアップパルス傾き制御信号(ＣＴＲＳＰｉ）によって傾きが調節されたセットアップパルスを含むパルス電圧を印加するスキャン駆動部５４と、前面パネル（図示せず）に形成されたサステイン電極（Ｚ）を駆動するサステイン駆動部５５と、各駆動部（５３、５４、５５）を制御するタイミングコントローラ５６と、各駆動部（５３、５４、５５）に駆動電圧を供給する駆動電圧発生部５７を含む。
【００８９】
以下本発明の第２実施形態によるプラズマディスプレイ装置の各構成要素の機能及び作用を詳しく説明する。
【００９０】
先ず、プラズマディスプレイパネル５００は示さないが前面パネル（図示せず）と背面パネル（図示せず）が不活性ガスを含む放電空間を間に置いて一定な間隔に合着されて、前面パネルには複数の電極例えば、スキャン電極（Ｙ１乃至Ｙｎ）及びサステイン電極（Ｚ）が対を成して形成されて、背面パネルにはスキャン電極（Ｙ１乃至Ｙｎ）及びサステイン電極（Ｚ）と交差されるようにアドレス電極（Ｘ１乃至Ｘｍ）が形成される。
【００９１】
外部輝度検出部５１はプラズマディスプレイパネル５００外部の明るさすなわち、自然光、照明装置から放出される光などによるプラズマディスプレイパネル５００外部の輝度を検出した後、外部輝度検出信号（ＳＯＢ）をセットアップパルス制御部５２で印加する。
【００９２】
ここで、外部輝度検出部５１は光センサー、すなわち、光ダイオードや光トランジスターで構成されることができる。
【００９３】
また、外部輝度検出部５１はお互いに異なるフレームの同一番目サブフィールドでプラズマディスプレイパネル５００の外部輝度を検出する。これに対する詳しい説明は後述する図６を参照して説明するようにする。
【００９４】
セットアップパルス制御部５２は外部輝度検出部５１から印加受けた外部輝度検出信号（ＳＯＢ）によってセットアップパルスの傾きを制御するセットアップパルス傾き制御信号(ＣＴＲＳＰｉ）をスキャン駆動部５４に印加する。
【００９５】
データ駆動部５３は示さない逆ガンマ補正回路、誤差拡散回路等によって逆ガンマ補正及び誤差拡散された後、サブフィールドマッピング回路によってあらかじめ設定されたサブフィールドパターンにマッピングされたデータが供給される。
【００９６】
このデータ駆動部５３はタイミングコントローラ５６の制御下にデータをサンプリングしてラッチした後、そのデータをアドレス電極（Ｘ１乃至Ｘｍ）に供給する。
【００９７】
スキャン駆動部５４はタイミングコントローラ５６とセットアップパルス制御部５２の制御の下にセットアップ期間の間スキャン電極（Ｙ１乃至Ｙｎ）にセットアップパルス制御部５２から印加受けたセットアップパルス傾き制御信号(ＣＴＲＳＰｉ）によって傾きが調節されて漸進的に上昇するセットアップパルスを印加する。またつながるセッダウン期間の間漸進的に立ち下がるセッダウンパルスを印加する。
【００９８】
またスキャン駆動部５４はセットアップパルスとセットダウンパルスを含むリセット波形がスキャン電極（Ｙ１乃至Ｙｎ）に供給された後アドレス期間の間、スキャンラインを選択するためにスキャン電極（Ｙ１乃至Ｙｎ）にスキャン基準電圧（Ｖｓｃ）とスキャン基準電圧（Ｖｓｃ）で負極性レベルで立ち下がるスキャンパルスを印加する。
【００９９】
またスキャン駆動部５４はサステイン期間の間アドレス期間で選択されたセルでサステイン放電が起きることができるようにするサステインパルスをスキャン電極（Ｙ１乃至Ｙｎ）に供給する。
【０１００】
サステイン駆動部５５はタイミングコントローラ５６の制御の下にリセット期間内の少なくとも一部期間及びアドレス期間の間サステイン電圧（Ｖｓ）レベルを持つバイアス電圧をサステイン電極（Ｚ）に供給した後、サステイン期間の間スキャン駆動部５４と交互に動作してサステインパルスをサステイン電極（Ｚ）に供給する。
【０１０１】
タイミングコントローラ５６は垂直/水平同期信号を入力受けて各駆動部に必要なタイミング制御信号（ＣＴＲＸ、ＣＴＲＹ、ＣＴＲＺ）を発生してそのタイミング制御信号（ＣＴＲＸ、ＣＴＲＹ、ＣＴＲＺ）を該当の駆動部（５３、５６、５５）に供給することで各駆動部（５３、５４、５５）を制御する。
【０１０２】
データ駆動部５３に印加されるタイミング制御信号（ＣＴＲＸ）にはデータをサンプリングするためのサンプリングクロック、ラッチ制御信号、エネルギー回収回路と駆動スイッチ素子のオン／オフタイムを制御するためのスイッチ制御信号が含まれる。
【０１０３】
スキャン駆動部５４に印加されるタイミング制御信号（ＣＴＲＹ）にはスキャン駆動部５４内のエネルギー回収回路と駆動スイッチ素子のオン／オフタイムを制御するためのスイッチ制御信号が含まれる。
【０１０４】
サステイン駆動部５５に印加されるタイミング制御信号（ＣＴＲＺ）にはサステイン駆動部５５内のエネルギー回収回路と駆動スイッチ素子のオン／オフタイムを制御するためのスイッチ制御信号が含まれる。
【０１０５】
駆動電圧発生部５７はサステイン電圧（Ｖｓ）、スキャン基準電圧（Ｖｓｃ）、データ電圧（Ｖａ）、スキャン電圧（−Ｖｙ）、セットアップランプ電圧（Ｖｓｔ）などを含む各駆動部（５３、５４、５５）で泌要する各種駆動電圧を発生する。このような駆動電圧は放電ガスの造成や放電セル構造によって変わることができる。
【０１０６】
以下では図６を参照して本発明の第２実施形態によるプラズマディスプレイ装置の作動原理を詳しく説明する。
【０１０７】
図６は本発明の第２実施形態によるプラズマディスプレイ装置の駆動波形を示す図である。
【０１０８】
図６に示すように、本発明の第２実施形態によるプラズマディスプレイ装置は複数個 のサブフィールドの組合から構成されたフレーム単位で画像を具現して、一つのサブフィールド（ＳＦ）それぞれはすべてのセルを初期化させるためのリセット期間（ＲＰ）、放電するセルを選択するためのアドレス期間（ＡＰ）、選択されたセルの放電を維持させるためのサステイン期間（ＳＰ）で分けて駆動する。
【０１０９】
以下各期間別に印加される電圧とその機能を詳しく説明する。
【０１１０】
先ず、リセット期間（ＲＰ）において、セットアップ期間（ＳＵ）にはすべてのスキャン電極（Ｙ１乃至Ｙｎ）に正極性傾きのセットアップパルス(ＰＲ）が同時に印加される。このようなセットアップパルス(ＰＲ）はセットアップ波形の一つの例で上昇する形態の多様な波形を採択することができる。
【０１１１】
このセットアップパルス(ＰＲ）によって全画面の放電セル内には弱い暗放電（Ｄａｒｋ Ｄｉｓｃｈａｒｇｅ）が起きる。このセットアップ放電によってアドレス電極（Ｘ１乃至Ｘｍ）とサステイン電極（Ｚ）上には正極性壁電荷が積もるようになって、スキャン電極（Ｙ１乃至Ｙｎ）上には負極性の壁電荷が積もるようになる。
【０１１２】
このようなセットアップパルス(ＰＲ）の傾きをプラズマディスプレイパネルの外部輝度によって調節して供給する点に本発明の特徴がある。
【０１１３】
このようにプラズマディスプレイパネルの外部輝度によってセットアップパルス(ＰＲ）の傾きを調節して供給することですなわち、プラズマディスプレイ装置の視聴環境によってブラック光の放出量を調節してコントラスト比特性を向上させるのである。
【０１１４】
このようなセットアップパルスの傾きは少なくともいずれか一つのサブフィールドで調節するのが望ましい。このようにプラズマディスプレイパネルの外部輝度によって一部サブフィールドまたは全体サブフィールドでセットアップパルスの傾きを調節して供給することで、プラズマディスプレイ装置の視聴環境によってブラック光の放出量を調節してこれによってコントラスト比特性をより効率的に向上させてプラズマディスプレイ装置の画像表示品位を向上させるのである。
【０１１５】
このようなセットアップパルスの傾きはプラズマディスプレイパネルの外部輝度に反比例するように調節するのが望ましい。
【０１１６】
また、前述の外部輝度検出部５１はお互いに異なるフレームの同一番目サブフィールドでプラズマディスプレイパネル５００の外部輝度を検出した後、セットアップパルスの傾きを外部輝度に反比例するように調節する。
【０１１７】
例えば、第１フレーム（１ｓｔ Ｆｒａｍｅ）の一番目サブフィールド（１ｓｔ ＳＦ）でプラズマディスプレイパネルの外部輝度を検出した後、検出された外部輝度によって第１セットアップパルスを印加する。
【０１１８】
次に、第２フレーム（２ｎｄ Ｆｒａｍｅ）の一番目サブフィールド（１ｓｔ ＳＦ）でプラズマディスプレイパネルの外部輝度を検出した後、検出された外部輝度によって第２セットアップパルスを印加する。
【０１１９】
この場合、第２フレーム（２ｎｄ Ｆｒａｍｅ）の一番目サブフィールド（１ｓｔ ＳＦ）でプラズマディスプレイパネルの外部輝度が第１フレーム（１ｓｔ Ｆｒａｍｅ）の一番目サブフィールド（１ｓｔ ＳＦ）でプラズマディスプレイパネルの外部輝度より高く検出されたら、第２セットアップパルスの傾き（Δ２）は第１セットアップパルスの傾き（Δ１）より低く印加される。
【０１２０】
ここで、第１フレーム（１ｓｔ Ｆｒａｍｅ）と第２フレーム（２ｎｄ Ｆｒａｍｅ）はお互いに隣接したフレームであることもあって、お互いに離隔されたフレームであることもある。すなわち、第１フレーム（１ｓｔ Ｆｒａｍｅ）が一番目フレームなら、第２フレーム（２ｎｄ Ｆｒａｍｅ）はお互いに隣接した二番目フレームであることもあって、お互いに離隔された三番目フレームや五番目フレームであることがある。
【０１２１】
また、図６では各フレームの同一番目のサブフィールドでプラズマディスプレイパネルの外部輝度を検出してセットアップパルスの傾きを調節したが、必ずここに限定されるのではない。
【０１２２】
すなわち、図６では第１フレーム（１ｓｔ Ｆｒａｍｅ）の一番目サブフィールド（１ｓｔ ＳＦ）でプラズマディスプレイパネルの外部輝度と第２フレーム（２ｎｄ Ｆｒａｍｅ）の一番目サブフィールド（１ｓｔ ＳＦ）でプラズマディスプレイパネルの外部輝度を検出したが、第１フレーム（１ｓｔ Ｆｒａｍｅ）の一番目サブフィールド（１ｓｔ ＳＦ）でプラズマディスプレイパネルの外部輝度と第２フレーム（２ｎｄ Ｆｒａｍｅ）の三番目サブフィールド（３ｒｄ ＳＦ）でプラズマディスプレイパネルの外部輝度を検出して、セットアップパルスの傾きを調節することができる。
【０１２３】
また、お互いに異なるフレームの間にプラズマディスプレイパネルの外部輝度を検出してセットアップパルスの傾きを調節することだけではなく、一つのフレーム内のお互いに異なるサブフィールドでそれぞれプラズマディスプレイパネルの外部輝度を検出した後セットアップパルスの傾きを調節することができる。
【０１２４】
このように、プラズマディスプレイパネル外部の輝度が高い場合、言い換えればプラズマディスプレイ装置の視聴環境が明室の場合セットアップパルスの傾きを減少させてブラック光の放出量を減少させてこれによってコントラスト比特性を高めてプラズマディスプレイ装置の画像表示品位を向上させるのである。
【０１２５】
引き継いでセットダウン期間（ＳＤ）にすべてのスキャン電極（Ｙ１乃至Ｙｎ）に負極性傾きのセットダウンランプパルス（ＮＲ）が同時に印加される一方、サステイン電極（Ｚ）に正極性のサステイン電圧（Ｖｓ）レベルを持つバイアス電圧が印加されれば、アドレス電極（Ｘ１乃至Ｘｍ）の正極性壁電荷はそのまま維持するがサステイン電極（Ｚ）とスキャン電極（Ｙ１乃至Ｙｎ）の間の放電を通じてサステイン電極（Ｚ）の正極性壁電荷を一定量消去する同時に、スキャン電極（Ｙ１乃至Ｙｎ）に積もっていた多量の負極性電荷をサステイン電極（Ｚ）とスキャン電極（Ｙ１乃至Ｙｎ）が分けて持つ。
【０１２６】
このセットダウン放電によってアドレス放電が安定に起きることができるほどの壁電荷がセル内に均一に残る。
【０１２７】
一方、このようなセットダウンランプパルス（ＮＲ）はセットダウン波形の一つの例で立ち下がる形態の多様な波形を採択することができる。
【０１２８】
次に、アドレス期間（ＡＰ）ではアドレス電極（Ｘ１乃至Ｘｍ）にグラウンド（ＧＮＤ）で正極性のデータ電圧（Ｖａ）で上昇するデータパルス（ＤＰ）、スキャン電極（Ｙ１乃至Ｙｎ）にスキャン基準電圧（Ｖｓｃ）で負極性のスキャン電圧（−Ｖｙ）で立ち下がるスキャンパルス（ＳＣＮＰ）が同期されて印加されると、アドレス電極（Ｘ１乃至Ｘｍ）とスキャン電極（Ｙ１乃至Ｙｎ）の間の電圧差と、リセット期間（ＲＰ）間形成された壁電荷によるアドレス電極（Ｘ１乃至Ｘｍ）とスキャン電極（Ｙ１乃至Ｙｎ）の間の壁電圧が加わりながらアドレス放電が発生する。
【０１２９】
一方、サステイン電極（Ｚ）にはアドレス期間（ＡＰ）間にスキャン電極（Ｙ１乃至Ｙｎ）との電圧差を減らしてスキャン電極（Ｙ１乃至Ｙｎ）との誤放電が起きないように正極性のサステイン電圧（Ｖｓ）レベルを持つバイアス電圧が供給される。
【０１３０】
次にサステイン期間（ＳＰ）にはスキャン電極（Ｙ１乃至Ｙｎ）とサステイン電極（Ｚ）に交互にグラウンド（ＧＮＤ）からサステイン電圧（Ｖｓ）に上昇するサステインパルス（ＳＵＳＰ）が印加される。アドレス放電によって選択されたセルはセル内の壁電圧とサステインパルス（ＳＵＳＰ）が加わりながら毎サステインパルス（ＳＵＳＰ）が印加される度にスキャン電極（Ｙ１乃至Ｙｎ）とサステイン電極（Ｚ）の間にサステイン放電すなわち、表示放電が起きるようになる。
【０１３１】
このようにすることで一つのサブフィールドでの本発明の第２実施形態によるプラズマディスプレイ装置の駆動過程が完成される。
【０１３２】
本発明の第２実施形態によるプラズマディスプレイ装置は以上で詳しく説明したように、プラズマディスプレイパネルの外部輝度によってセットアップパルスの傾きを調節することでコントラスト比特性を向上させる。
【０１３３】
図７は本発明の第３実施形態によるプラズマディスプレイ装置を示す図である。
【０１３４】
図７に示すように、本発明の第３実施形態によるプラズマディスプレイ装置はリセット期間、アドレス期間、サステイン期間にアドレス電極（Ｘ１乃至Ｘｍ）、スキャン電極（Ｙ１乃至Ｙｎ）及びサステイン電極（Ｚ）に所定の駆動パルスを印加して不活性ガスを含む放電空間上で気体放電を発生させて画像を表現するプラズマディスプレイパネル７００と、 プラズマディスプレイパネル７００外部の輝度を検出する外部輝度検出部７１と、外部輝度検出部７１の外部輝度検出信号（ＳＯＢ）によってセットアップパルスの印加時間を制御するセットアップパルス制御部７２と、背面パネル（図示せず）に形成されたアドレス電極（Ｘ１乃至Ｘｍ）にデータを供給するデータ駆動部７３と、前面パネル（図示せず）に形成されたスキャン電極（Ｙ１乃至Ｙｎ）にセットアップパルス制御部７２のセットアップパルス印加時間制御信号（ＣＴＲＳＰｔ）によって印加時間が調節されたセットアップパルスを含むパルス電圧を印加するスキャン駆動部７４と、前面パネル（図示せず）に形成されたサステイン電極（Ｚ）を駆動するサステイン駆動部７５と、各駆動部（７３、７４、７５）を制御するタイミングコントローラ７６と、各駆動部（７３、７４、７５）に駆動電圧を供給する駆動電圧発生部７７を含む。
【０１３５】
以下本発明の第３実施形態によるプラズマディスプレイ装置の各構成要素の機能及び作用を詳しく説明する。
【０１３６】
先ず、プラズマディスプレイパネル７００は示さないが前面パネル（図示せず）と背面パネル（図示せず）が不活性ガスを含む放電空間を間に置いて一定な間隔に合着されて、前面パネルには複数の電極例えば、スキャン電極（Ｙ１乃至Ｙｎ）及びサステイン電極（Ｚ）が対を成して形成されて、背面パネルにはスキャン電極（Ｙ１乃至Ｙｎ）及びサステイン電極（Ｚ）と交差されるようにアドレス電極（Ｘ１乃至Ｘｍ）が形成される。
【０１３７】
外部輝度検出部７１はプラズマディスプレイパネル７００外部の明るさすなわち、自然光、照明装置から放出される光などによるプラズマディスプレイパネル７００外部の輝度を検出した後、外部輝度検出信号（ＳＯＢ）をセットアップパルス制御部７２で印加する。
【０１３８】
ここで、外部輝度検出部７１は光センサー、すなわち、光ダイオードや光トランジスターで構成されることができる。
【０１３９】
また、外部輝度検出部７１はお互いに異なるフレームの同一番目サブフィールドでプラズマディスプレイパネル７００の外部輝度を検出する。これに対する詳しい説明は後述する図８を参照して説明する。
【０１４０】
セットアップパルス制御部７２は外部輝度検出部７１から印加受けた外部輝度検出信号（ＳＯＢ）によってセットアップパルスの印加時間を制御するセットアップパルス印加時間制御信号（ＣＴＲＳＰｔ）をスキャン駆動部７４に印加する。
【０１４１】
データ駆動部７３は示さない逆ガンマ補正回路、誤差拡散回路等によって逆ガンマ補正及び誤差拡散された後、サブフィールドマッピング回路によってあらかじめ設定されたサブフィールドパターンにマッピングされたデータが供給される。
【０１４２】
このデータ駆動部７３はタイミングコントローラ７６の制御下にデータをサンプリングしてラッチした後、そのデータをアドレス電極（Ｘ１乃至Ｘｍ）に供給する。
【０１４３】
スキャン駆動部７４はタイミングコントローラ７６とセットアップパルス制御部７２の制御の下にセットアップ期間の間スキャン電極（Ｙ１乃至Ｙｎ）にセットアップパルス制御部７２から印加受けたセットアップパルス印加時間制御信号（ＣＴＲＳＰｔ）によって印加時間が調節されて漸進的に上昇するセットアップパルスを印加する。またつながるセッダウン期間の間漸進的に立ち下がるセッダウンパルスを印加する。
【０１４４】
またスキャン駆動部７４はセットアップパルスとセットダウンパルスを含むリセット波形がスキャン電極（Ｙ１乃至Ｙｎ）に供給された後アドレス期間の間、スキャンラインを選択するためにスキャン電極（Ｙ１乃至Ｙｎ）にスキャン基準電圧（Ｖｓｃ）とスキャン基準電圧（Ｖｓｃ）で負極性レベルで立ち下がるスキャンパルスを印加する。
【０１４５】
またスキャン駆動部７４はサステイン期間の間アドレス期間で選択されたセルでサステイン放電が起きることができるようにするサステインパルスをスキャン電極（Ｙ１乃至Ｙｎ）に供給する。
【０１４６】
サステイン駆動部７５はタイミングコントローラ７６の制御の下にリセット期間内の少なくとも一部期間及びアドレス期間の間サステイン電圧（Ｖｓ）レベルを持つバイアス電圧をサステイン電極（Ｚ）に供給した後、サステイン期間の間スキャン駆動部７４と交互に動作してサステインパルスをサステイン電極（Ｚ）に供給する。
【０１４７】
タイミングコントローラ７６は垂直/水平同期信号を入力受けて各駆動部に必要なタイミング制御信号（ＣＴＲＸ、ＣＴＲＹ、ＣＴＲＺ）を発生してそのタイミング制御信号（ＣＴＲＸ、ＣＴＲＹ、ＣＴＲＺ）を該当の駆動部（７３、７６、７５）に供給することで各駆動部（７３、７４、７５）を制御する。
【０１４８】
データ駆動部７３に印加されるタイミング制御信号（ＣＴＲＸ）にはデータをサンプリングするためのサンプリングクロック、ラッチ制御信号、エネルギー回収回路と駆動スイッチ素子のオン／オフタイムを制御するためのスイッチ制御信号が含まれる。
【０１４９】
スキャン駆動部７４に印加されるタイミング制御信号（ＣＴＲＹ）にはスキャン駆動部７４内のエネルギー回収回路と駆動スイッチ素子のオン／オフタイムを制御するためのスイッチ制御信号が含まれる。
【０１５０】
サステイン駆動部７５に印加されるタイミング制御信号（ＣＴＲＺ）にはサステイン駆動部７５内のエネルギー回収回路と駆動スイッチ素子のオン／オフタイムを制御するためのスイッチ制御信号が含まれる。
【０１５１】
駆動電圧発生部７７はサステイン電圧（Ｖｓ）、スキャン基準電圧（Ｖｓｃ）、データ電圧（Ｖａ）、スキャン電圧（−Ｖｙ）、セットアップランプ電圧（Ｖｓｔ）などを含む各駆動部（７３、７４、７５）で必要する各種駆動電圧を発生する。このような駆動電圧は放電ガスの造成や放電セル構造によって変わることができる。
【０１５２】
以下では図８を参照して本発明の第３実施形態によるプラズマディスプレイ装置の作動原理を詳しく説明する。
【０１５３】
図８は本発明の第３実施形態によるプラズマディスプレイ装置の駆動波形を示す図である。
【０１５４】
図８に示すように、本発明の第３実施形態によるプラズマディスプレイ装置は複数個のサブフィールドの組合で構成されたフレーム単位で画像を具現して、一つのサブフィールド（ＳＦ）それぞれはすべてのセルを初期化させるためのリセット期間（ＲＰ）、放電するセルを選択するためのアドレス期間（ＡＰ）、選択されたセルの放電を維持させるためのサステイン期間（ＳＰ）で分けて駆動する。
【０１５５】
以下各期間別に印加される電圧とその機能を詳しく説明する。
【０１５６】
先ずリセット期間（ＲＰ）において、セットアップ期間（ＳＵ）にはすべてのスキャン電極（Ｙ１乃至Ｙｎ）に正極性傾きのセットアップパルス(ＰＲ）が同時に印加される。このようなセットアップパルス(ＰＲ）はセットアップ波形の一つの例で上昇する形態の多様な波形を採択することができる。
【０１５７】
このセットアップパルス(ＰＲ）によっての全画面の放電セル内には弱い暗放電（Ｄａｒｋ Ｄｉｓｃｈａｒｇｅ）が起きる。このセットアップ放電によってアドレス電極（Ｘ１乃至Ｘｍ）とサステイン電極（Ｚ）上には正極性壁電荷が積もるようになって、スキャン電極（Ｙ１乃至Ｙｎ）上には負極性の壁電荷が積もるようになる。
【０１５８】
このようなセットアップパルス(ＰＲ）の印加時間をプラズマディスプレイパネルの外部輝度によって調節して供給する点に本発明の特徴がある。
【０１５９】
このようにプラズマディスプレイパネルの外部輝度によってセットアップパルス(ＰＲ）の印加時間を調節して供給することですなわち、プラズマディスプレイ装置の視聴環境によってブラック光の放出量を調節してコントラスト比特性を向上させるのである。
【０１６０】
このようなセットアップパルスの印加時間は少なくともいずれか一つのサブフィールドで調節するのが望ましい。このようにプラズマディスプレイパネルの外部輝度によって一部サブフィールドまたは全体サブフィールドでセットアップパルスの印加時間を調節して供給することで、プラズマディスプレイ装置の視聴環境によってブラック光の放出量を調節してこれによってコントラスト比特性をより効率的に向上させてプラズマディスプレイ装置の画像表示品位を向上させるのである。
【０１６１】
このようなセットアップパルスの印加時間はプラズマディスプレイパネルの外部輝度に反比例するように調節するのが望ましい。
【０１６２】
また、前述の外部輝度検出部７１はお互いに異なるフレームの同一番目サブフィールドでプラズマディスプレイパネル７００の外部輝度を検出した後、セットアップパルスの印加時間を外部輝度に反比例するように調節する。
【０１６３】
例えば、第１フレーム（１ｓｔ Ｆｒａｍｅ）の一番目サブフィールド（１ｓｔ ＳＦ）でプラズマディスプレイパネルの外部輝度を検出した後、検出された外部輝度によって第１セットアップパルスを印加する。
【０１６４】
次に、第２フレーム（２ｎｄ Ｆｒａｍｅ）の一番目サブフィールド（１ｓｔ ＳＦ）でプラズマディスプレイパネルの外部輝度を検出した後、検出された外部輝度によって第２セットアップパルスを印加する。
【０１６５】
この場合、第２フレーム（２ｎｄ Ｆｒａｍｅ）の一番目サブフィールド（１ｓｔ ＳＦ）でプラズマディスプレイパネルの外部輝度が第１フレーム（１ｓｔ Ｆｒａｍｅ）の一番目サブフィールド（１ｓｔ ＳＦ）でプラズマディスプレイパネルの外部輝度より高く検出されたら、第２セットアップパルスの印加時間（ΔＴ２）は第１セットアップパルスの印加時間（ΔＴ１）より短く印加される。
【０１６６】
ここで、第１フレーム（１ｓｔ Ｆｒａｍｅ）と第２フレーム（２ｎｄ Ｆｒａｍｅ）はお互いに隣接したフレームであることもあって、お互いに離隔されたフレームであることもある。すなわち、第１フレーム（１ｓｔ Ｆｒａｍｅ）が一番目フレームなら、第２フレーム（２ｎｄ Ｆｒａｍｅ）はお互いに隣接した二番目フレームであることもあって、お互いに離隔された三番目フレームや五番目フレームであることがある。
【０１６７】
また、図８では各フレームの同一番目のサブフィールドでプラズマディスプレイパネルの外部輝度を検出してセットアップパルスの印加時間を調節したが、必ずここに限定されるのではない。
【０１６８】
すなわち、図８では第１フレーム（１ｓｔ Ｆｒａｍｅ）の一番目サブフィールド（１ｓｔ ＳＦ）でプラズマディスプレイパネルの外部輝度と第２フレーム（２ｎｄ Ｆｒａｍｅ）の一番目サブフィールド（１ｓｔ ＳＦ）でプラズマディスプレイパネルの外部輝度を検出したが、第１フレーム（１ｓｔ Ｆｒａｍｅ）の一番目サブフィールド（１ｓｔ ＳＦ）でプラズマディスプレイパネルの外部輝度と第２フレーム（２ｎｄ Ｆｒａｍｅ）の三番目サブフィールド（３ｒｄ ＳＦ）でプラズマディスプレイパネルの外部輝度を検出して、セットアップパルスの印加時間を調節することができる。
【０１６９】
また、お互いに異なるフレームの間にプラズマディスプレイパネルの外部輝度を検出してセットアップパルスの印加時間を調節することだけではなく、一つのフレーム内のお互いに異なるサブフィールドでそれぞれプラズマディスプレイパネルの外部輝度を検出した後セットアップパルスの印加時間を調節することができる。
【０１７０】
このように、プラズマディスプレイパネルの外部輝度が高い場合、言い換えればプラズマディスプレイ装置の視聴環境が明室の場合セットアップパルスの印加時間を減らしてブラック光の放出量を減少させてこれによってコントラスト比特性を高めてプラズマディスプレイ装置の画像表示品位を向上させるのである。
【０１７１】
引き継いでセットダウン期間（ＳＤ）にすべてのスキャン電極（Ｙ１乃至Ｙｎ）に負極性傾きのセットダウンランプパルス（ＮＲ）が同時に印加される一方、サステイン電極（Ｚ）に正極性のサステイン電圧（Ｖｓ）レベルを持つバイアス電圧が印加されれば、アドレス電極（Ｘ１乃至Ｘｍ）の正極性壁電荷はそのまま維持するがサステイン電極（Ｚ）とスキャン電極（Ｙ１乃至Ｙｎ）の間の放電を通じてサステイン電極（Ｚ）の正極性壁電荷を一定量消去する同時に、スキャン電極（Ｙ１乃至Ｙｎ）に積もっていた多量の負極性電荷をサステイン電極（Ｚ）とスキャン電極（Ｙ１乃至Ｙｎ）が分けて持つ。
【０１７２】
このセットダウン放電によってアドレス放電が安定に起きることができるほどの壁電荷がセル内に均一に残る。
【０１７３】
一方、このようなセットダウンランプパルス（ＮＲ）はセットダウン波形の一つの例で立ち下がる形態の多様な波形を採択することができる。
【０１７４】
次に、アドレス期間（ＡＰ）ではアドレス電極（Ｘ１乃至Ｘｍ）にグラウンド（ＧＮＤ）から正極性のデータ電圧（Ｖａ）に上昇するデータパルス（ＤＰ）、スキャン電極（Ｙ１乃至Ｙｎ）にスキャン基準電圧（Ｖｓｃ）で負極性のスキャン電圧（−Ｖｙ）で立ち下がるスキャンパルス（ＳＣＮＰ）が同期されて印加されると、アドレス電極（Ｘ１乃至Ｘｍ）とスキャン電極（Ｙ１乃至Ｙｎ）の間の電圧差と、リセット期間（ＲＰ） 間形成された壁電荷によるアドレス電極（Ｘ１乃至Ｘｍ）とスキャン電極（Ｙ１乃至Ｙｎ） の間の壁電圧が加わりながらアドレス放電が発生する。
【０１７５】
一方、サステイン電極（Ｚ）にはアドレス期間（ＡＰ） 間にスキャン電極（Ｙ１乃至Ｙｎ）との電圧差を減らしてスキャン電極（Ｙ１乃至Ｙｎ）との誤放電が起きないように正極性のサステイン電圧（Ｖｓ）レベルを持つバイアス電圧が供給される。
【０１７６】
次にサステイン期間（ＳＰ）にはスキャン電極（Ｙ１乃至Ｙｎ）とサステイン電極（Ｚ）に交互にグラウンド（ＧＮＤ）からサステイン電圧（Ｖｓ）に上昇するサステインパルス（ＳＵＳＰ）が印加される。アドレス放電によって選択されたセルはセル内の壁電圧とサステインパルス（ＳＵＳＰ）が加わりながら毎サステインパルス（ＳＵＳＰ）が印加される度にスキャン電極（Ｙ１乃至Ｙｎ）とサステイン電極（Ｚ）の間にサステイン放電すなわち、表示放電が起きるようになる。
【０１７７】
このようにすることで一つのサブフィールドでの本発明の第３実施形態によるプラズマディスプレイ装置の駆動過程が完成される。
【０１７８】
本発明の第３実施形態によるプラズマディスプレイ装置は以上で詳しく説明したように、プラズマディスプレイパネルの外部輝度によってセットアップパルスの印加時間を調節することでコントラスト比特性を向上させる。
【図面の簡単な説明】
【０１７９】
【図１】本発明の一つの実施形態によるプラズマディスプレイ装置でプラズマディスプレイパネルの構造の一例を説明するための図。
【図２】本発明の一つの実施形態によるプラズマディスプレイ装置の画像階調を具現する方法を示す図。
【図３】本発明の第１実施形態によるプラズマディスプレイ装置を示す図。
【図４】本発明の第１実施形態によるプラズマディスプレイ装置の駆動波形を示す図。
【図５】本発明の第２実施形態によるプラズマディスプレイ装置を示す図。
【図６】本発明の第２実施形態によるプラズマディスプレイ装置の駆動波形を示す図。
【図７】本発明の第３実施形態によるプラズマディスプレイ装置を示す図。
【図８】本発明の第３実施形態によるプラズマディスプレイ装置の駆動波形を示す図。
【図１】
2007102222.tif 000003
【図２】
2007102222.tif 000004
【図３】
2007102222.tif 000005
【図４】
2007102222.tif 000006
【図５】
2007102222.tif 000007
【図６】
2007102222.tif 000008
【図７】
2007102222.tif 000009
【図８】
2007102222.tif 000010